(57)【特許請求の範囲】
【請求項１】
第１の表示領域と、
第２の表示領域と、
項目毎に該当する項目の内容情報が対応付けられると共に、他の項目にリンク付けされたリンク有り文字列を含む内容情報を有する文書情報を記憶する情報記憶手段と、
ユーザ操作に応じて前記情報記憶手段により記憶された任意の項目の内容情報を前記第１の表示領域に表示させる情報表示制御手段と、
この情報表示制御手段により前記第１の表示領域に表示される内容情報に含まれるリンク有り文字列をリスト化し、前記第２の表示領域に表示させるリンクリスト表示制御手段と、
このリンクリスト表示制御手段により表示されたリンク有り文字列をユーザ操作に応じて選択する選択手段と、
この選択手段により選択されたリンク有り文字列にリンク付けられて前記情報記憶手段により記憶される項目の内容情報を前記第１の表示領域に表示させるリンク内容表示制御手段と、
前記情報表示制御手段により表示された内容情報に対応する項目を上の階層の項目、前記リンクリスト表示制御手段により表示されたリンク有り文字列を下の階層の項目とする階層構造の項目マップを記憶する項目マップ記憶手段と、
この項目マップ記憶手段により記憶された階層構造の項目マップを前記第１の表示領域の表示画面に表示させる項目マップ表示制御手段と、
この項目マップ表示制御手段により表示された階層構造の項目マップの任意の項目をユーザ操作に応じて選択する項目選択手段と、
この項目選択手段により選択された項目に対応付けられて前記情報記憶手段により記憶される内容情報を前記第１の表示領域の表示画面に表示させる項目内容表示制御手段と、
を備えたことを特徴とする情報表示装置。
【請求項２】
前記選択手段により選択された前記第２の表示領域の表示画面上のリンク有り文字列を識別表示させる識別表示制御手段を備え、
前記リンク内容表示制御手段は、前記識別表示制御手段により前記第２の表示領域の表示画面上で識別表示されたリンク有り文字列にリンク付けられて前記情報記憶手段により記憶される項目の内容情報を前記第１の表示領域の表示画面に表示させる、
ことを特徴とする請求項１に記載の情報表示装置。
【請求項３】
前記情報表示制御手段は、ユーザ操作に応じて前記情報記憶手段により記憶された任意の項目の内容情報を前記第１の表示領域の表示画面に表示させ、
前記リンクリスト表示制御手段は、前記情報表示制御手段により表示される内容情報に含まれるリンク有り文字列をリスト化し、前記第２の表示領域の表示画面に表示させ、
前記リンク内容表示制御手段は、前記選択手段により選択されたリンク有り文字列にリンク付けられて前記情報記憶手段により記憶される項目の内容情報を前記第２の表示領域の表示画面に表示させる、
ことを特徴とする請求項１に記載の情報表示装置。
【請求項４】
ユーザ操作に応じて前記項目マップの追加を指示する追加指示手段と、
この追加指示手段により項目マップの追加が指示されると、前記項目選択手段により選択された項目に対応付けられて前記情報記憶手段により記憶される内容情報に含まれるリンク有り文字列を抽出し、当該選択された項目の下の階層の項目として追加して記憶する項目マップ追加手段と、
を備えたことを特徴とする請求項１〜３の何れか１項に記載の情報表示装置。
【請求項５】
前記情報記憶手段は、複数種類の文書情報を記憶し、
前記項目マップ追加手段は、前記追加指示手段により項目マップの追加が指示された後に、前記項目選択手段により選択された項目に対応付けられて前記情報記憶手段により記憶される前記選択された項目と同一の文書情報内の同項目の内容情報に含まれるリンク有り文字列と、前記選択された項目と一致する別の文書情報内の項目の内容情報に含まれるリンク有り文字列とを段階的に抽出し、当該選択された項目の下の階層の項目として追加して記憶する、
ことを特徴とする請求項４に記載の情報表示装置。
【請求項６】
第１の表示領域と、第２の表示領域とを備える情報表示装置のコンピュータを制御するためのプログラムであって、
前記コンピュータを、
項目毎に該当する項目の内容情報が対応付けられると共に、他の項目にリンク付けされたリンク有り文字列を含む内容情報を有する文書情報をメモリに記憶させる情報記憶手段、
ユーザ操作に応じて前記情報記憶手段により記憶された任意の項目の内容情報を前記第１の表示領域に表示させる情報表示制御手段、
この情報表示制御手段により前記第１の表示領域に表示される内容情報に含まれるリンク有り文字列をリスト化し、前記第２の表示領域に表示させるリンクリスト表示制御手段、
このリンクリスト表示制御手段により表示されたリンク有り文字列をユーザ操作に応じて選択する選択手段、
この選択手段により選択されたリンク有り文字列にリンク付けられて前記情報記憶手段により記憶される項目の内容情報を前記第１の表示領域に表示させるリンク内容表示制御手段、
前記情報表示制御手段により表示された内容情報に対応する項目を上の階層の項目、前記リンクリスト表示制御手段により表示されたリンク有り文字列を下の階層の項目とする階層構造の項目マップを記憶する項目マップ記憶手段、
この項目マップ記憶手段により記憶された階層構造の項目マップを前記第１の表示領域の表示画面に表示させる項目マップ表示制御手段、
この項目マップ表示制御手段により表示された階層構造の項目マップの任意の項目をユーザ操作に応じて選択する項目選択手段、
この項目選択手段により選択された項目に対応付けられて前記情報記憶手段により記憶される内容情報を前記第１の表示領域の表示画面に表示させる項目内容表示制御手段、
として機能させるためのプログラム。
【発明の詳細な説明】
【技術分野】
【０００１】
本発明は、辞書情報等の電子化された文書情報を表示するための情報表示装置およびその制御プログラムに関する。
【背景技術】
【０００２】
従来、文書コンテンツの各項目の内容の中に、他の項目へのリンク情報を付加した文字列（リンク有り文字列）を記憶しておき、ある項目の内容の表示中にそのリンク有り文字列が選択されると、リンク先の項目の内容を読み出して表示するものが知られている。これにより、リンク有り文字列と関連する項目を瞬時に閲覧することができる。
【０００３】
従来の電子辞書装置において、任意の見出し語の説明（内容）情報の表示中に、その説明情報の一節の文字列をリンク元として指定すると共に、他の説明情報を表示させてリンク先として指定しテーブルにして記憶する。そして、説明情報を表示する際には、リンク元として記憶された一節の文字列を識別表示させると共に、識別表示された文字列を指定することで、リンク先の説明情報を読み出して表示することのできる、ユーザ独自のリンクテーブルを生成する機能を搭載した電子辞書装置が考えられている（例えば、特許文献１参照。）。
【先行技術文献】
【特許文献】
【０００４】
【特許文献１】特開２０１０−２１１４４１号公報
【発明の概要】
【発明が解決しようとする課題】
【０００５】
文書情報を表示する従来の情報表示装置において、リンク元として記憶されたリンク有り文字列は文書内に散在しているため、一連の文書上でたとえ識別表示されたとしても発見しづらく、その選択操作にも支障があるという問題があった。
【０００６】
本発明は、このような課題に鑑みなされたもので、文書上に存在するリンク有り文字列を容易に発見し、且つ容易に選択することが可能になる情報表示装置およびその制御プログラムを提供することを目的とする。
【課題を解決するための手段】
【０００７】
請求項１に記載の情報表示装置は、第１の表示領域と、第２の表示領域と、項目毎に該当する項目の内容情報が対応付けられると共に、他の項目にリンク付けされたリンク有り文字列を含む内容情報を有する文書情報を記憶する情報記憶手段と、ユーザ操作に応じて前記情報記憶手段により記憶された任意の項目の内容情報を前記第１の表示領域に表示させる情報表示制御手段と、この情報表示制御手段により前記第１の表示領域に表示される内容情報に含まれるリンク有り文字列をリスト化し、前記第２の表示領域に表示させるリンクリスト表示制御手段と、このリンクリスト表示制御手段により表示されたリンク有り文字列をユーザ操作に応じて選択する選択手段と、この選択手段により選択されたリンク有り文字列にリンク付けられて前記情報記憶手段により記憶される項目の内容情報を前記第１の表示領域に表示させるリンク内容表示制御手段と、前記情報表示制御手段により表示された内容情報に対応する項目を上の階層の項目、前記リンクリスト表示制御手段により表示されたリンク有り文字列を下の階層の項目とする階層構造の項目マップを記憶する項目マップ記憶手段と、この項目マップ記憶手段により記憶された階層構造の項目マップを前記第１の表示領域の表示画面に表示させる項目マップ表示制御手段と、この項目マップ表示制御手段により表示された階層構造の項目マップの任意の項目をユーザ操作に応じて選択する項目選択手段と、この項目選択手段により選択された項目に対応付けられて前記情報記憶手段により記憶される内容情報を前記第１の表示領域の表示画面に表示させる項目内容表示制御手段と、を備えたことを特徴としている。
【発明の効果】
【０００８】
本発明によれば、文書上に存在するリンク有り文字列を容易に発見し、且つ容易に選択することが可能になる情報表示装置およびその制御プログラムを提供できる。
【図面の簡単な説明】
【０００９】
【図１】本発明の情報表示装置の実施形態に係る電子辞書装置１０の外観構成を示す正面図。
【図２】前記電子辞書装置１０の電子回路の構成を示すブロック図。
【図３】前記電子辞書装置１０の情報表示制御プログラム２２ａに従い実行されるリンクリスト表示処理を示すフローチャート。
【図４】前記電子辞書装置１０のリンクリスト表示処理に伴い実行される単語マップ登録処理を示すフローチャート。
【図５】前記電子辞書装置１０のリンクリスト表示処理に伴うリンクリストＬＬの表示動作を示す図。
【図６】前記電子辞書装置１０のリンクリスト表示処理に伴うリンクリストＬＬからの内容情報（Ｇ１）の表示動作を示す図。
【図７】前記電子辞書装置１０の単語マップ登録処理に伴うリンクリストＬＬからの単語マップの登録表示動作を示す図。
【図８】前記電子辞書装置１０の情報表示制御プログラム２２ａに従い実行される単語マップ閲覧・編集処理を示すフローチャート。
【図９】前記電子辞書装置１０の単語マップ閲覧・編集処理に伴う単語マップの閲覧表示動作を示す図。
【図１０】前記電子辞書装置１０の単語マップ閲覧・編集処理に伴う単語マップの編集表示動作を示す図。
【発明を実施するための形態】
【００１０】
以下図面により本発明の実施の形態について説明する。
【００１１】
図１は、本発明の情報表示装置の実施形態に係る電子辞書装置１０の外観構成を示す正面図である。
【００１２】
この電子辞書装置１０は、以下に説明する電子辞書専用の携帯機器として構成されるか、辞書機能を備えたＰＤＡ(personal digital assistants)、ＰＣ(personal computer)、携帯電話、電子ブック、携帯ゲーム機等として構成される。
【００１３】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、［訳／決定］キー１４ｃ、［戻る／リスト］キー１４ｄ、カーソルキー１４ｅ、スピーカ１５などを備えたキー入力部（キーボード）１４、およびタッチパネル式のサブ表示部１６が備えられる。
【００１４】
このサブ表示部１６は、ユーザがペンや指等でタッチした位置を検出するタッチ位置検出装置と表示装置が一体となった構造であり、キー入力部１４の中央手前側において例えば２５６×６４ドットのカラー液晶表示画面１６ｄに透明タッチパネル１６ｔを重ねて構成される。このサブ表示部１６の領域は、必要に応じて、手書き文字を入力するための手書き文字（漢字）入力領域や各種機能を指定するためのキー入力領域、後述の辞書データベース２２ｂから読み出された内容（説明）情報（Ｇ１；図５（Ｂ′）参照）やリンクリストＬＬの表示領域、あるいは当該各領域が混在する領域に切り替えられる。
【００１５】
そして、前記サブ表示部１６が手書き文字入力領域に切り替えられた状態での手書き入力に伴う軌跡はそのカラー液晶表示画面１６ｄにエコーバックして表示される。
【００１６】
また蓋体ケース１２の表面には、そのほぼ全面を対象に例えば４８０×３２０ドットのバックライト付きのタッチパネル式のメイン表示部１７が設けられる。このメイン表示部１７も、前記サブ表示部１６と同様に、ユーザがペンや指等でタッチした位置を検出するタッチ位置検出装置と表示装置が一体となった構造であり、カラー液晶表示画面１７ｄに透明タッチパネル１７ｔを重ねて構成される。
【００１７】
そして、前記タッチパネル式メイン表示部１７の右端には、前記キー入力部１４における一部のキーの押下操作をタッチ操作により行うための、キー表記（例えば［訳／決定］キーＫＥや［戻る／リスト］キーＫＲ）が固定印刷されたタッチキーエリア１７Ａが設けられる。
【００１８】
また、前記タッチパネル式メイン表示部１７の左端には、動作モードに応じて実行可能な機能をタッチ操作により指定するための、各種のアイコンが表示されるタッチアイコンエリア１７Ｂが設けられる。
【００１９】
例えば所望の辞書の見出し語を検索し、その説明などを表示させた内容情報表示画面Ｇが前記メイン表示部１７に表示される通常の辞書検索モードの場合、前記タッチアイコンエリア１７Ｂには、検索された見出し語を単語帳に登録するための［単語帳］アイコンＢＴ、表示された内容情報に含まれるリンク有り文字列Ｌ１，Ｌ２，…をリスト化したリンクリストＬＬを前記サブ表示部１６に表示させるための［単語マップ］アイコンＢＭなどが表示される。
【００２０】
図２は、前記電子辞書装置１０の電子回路の構成を示すブロック図である。
【００２１】
この電子辞書装置１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００２２】
ＣＰＵ２１は、記憶部（フラッシュＲＯＭ）２２内に予め記憶された装置制御プログラム、あるいはＲＯＭカードなどの外部記録媒体２３から記録媒体読み取り部２４を介して前記記憶部２２に読み込まれた装置制御プログラム、あるいはインターネットＮ上のＷｅｂサーバ（この場合はプログラムサーバ）３０から通信部２５を介して前記記憶部２２に読み込まれた装置制御プログラムに応じて、回路各部の動作を制御する。
【００２３】
前記記憶部２２に記憶された装置制御プログラムは、キー入力部１４、タッチパネル式サブ表示部１６、タッチパネル式メイン表示部１７からのユーザ操作に応じた入力信号、あるいは通信部２５を介して接続されるインターネットＮ上の各Ｗｅｂサーバ３０…との通信信号、あるいは記録媒体読み取り部２４を介して外部接続されるＥＥＰＲＯＭ，ＲＡＭ，ＲＯＭなどのメモリ・カード（記録媒体）２３との接続通信信号に応じて起動される。
【００２４】
このように前記ＣＰＵ２１には、メモリ２２、記録媒体読み取り部２４、通信部２５、キー入力部１４、タッチパネル式サブ表示部１６（１６ｄ，１６ｔ）、タッチパネル式メイン表示部１７（１７ｄ，１７ｔ）などが接続される。
【００２５】
前記記憶部２２に記憶される装置制御プログラムとしては、当該電子辞書装置１０の全体の動作を司るシステムプログラムや、通信部２５を介してインターネットＮ上の各Ｗｅｂサーバ３０…や図示しないユーザＰＣ(Personal Computer)などとデータ通信するための通信プログラムが記憶される。
【００２６】
また、入力された検索文字列に応じた見出し語検索処理、検索された見出し語に対応した内容情報（訳語・語義など）の読み出し表示処理、表示された内容情報に含まれるリンク有り文字列のリスト化表示処理、リスト化表示され選択されたリンク有り文字列を見出し語とする内容情報表示処理、見出し語を上の階層としその内容情報に含まれるリンク有り文字列を下の階層とした単語マップの登録・表示処理など、同記憶部２２内に記憶された辞書データベース２２ｂおよび単語マップデータベース２２ｃに基づく処理全般を制御するための各種情報表示制御プログラム２２ａが記憶される。
【００２７】
前記辞書データベース２２ｂとしては、［国語辞書］［英和辞書］［和英辞書］［日本史辞書］［世界史辞書］［百科辞書］などの各種の辞書データが予めあるいはダウンロードされて記憶され、各種の辞書データには、各見出し語２２ｂe1，２２ｂe2，…と当該各見出し語２２ｂe1，２２ｂe2，…の内容（説明）情報２２ｂc1，２２ｂc2，…とが対応付けられて記述される。
【００２８】
なお、前記見出し語２２ｂenの内容（説明）情報２２ｂcnには、リンク有り文字列Ｌｎが含まれ、このリンク有り文字列Ｌｎには、当該文字列Ｌｎを同一辞書内あるいは他の辞書の見出し語としてリンク付けするためのリンク情報が付加される。
【００２９】
前記単語マップデータベース２２ｃには、例えば、前記辞書データにおける見出し語２２ｂenを上の階層とし、同見出し語２２ｂenの内容情報２２ｂcnに含まれるリンク有り文字列Ｌ１，Ｌ２，…を下の階層とする階層構造の単語マップ（図７・図１０参照）が、適宜ユーザ操作に応じて登録され記憶される。
【００３０】
このように構成された電子辞書装置１０は、ＣＰＵ２１が前記情報表示制御プログラム２２ａ（入力された検索文字列に応じた見出し語検索処理、検索された見出し語に対応した内容情報の読み出し表示処理、表示された内容情報に含まれるリンク有り文字列のリスト化表示処理、リスト化表示され選択されたリンク有り文字列を見出し語とする内容情報表示処理、見出し語を上の階層としその内容情報に含まれるリンク有り文字列を下の階層とした単語マップの登録・表示処理等を実行するためのプログラムを含む）に記述された命令に従い回路各部の動作を制御し、ソフトウエアとハードウエアとが協働して動作することにより、以下の動作説明で述べる機能を実現する。
【００３１】
次に、前記構成による電子辞書装置１０の動作について説明する。
【００３２】
図３は、前記電子辞書装置１０の情報表示制御プログラム２２ａに従い実行されるリンクリスト表示処理を示すフローチャートである。
【００３３】
図４は、前記電子辞書装置１０のリンクリスト表示処理に伴い実行される単語マップ登録処理を示すフローチャートである。
【００３４】
図５は、前記電子辞書装置１０のリンクリスト表示処理に伴うリンクリストＬＬの表示動作を示す図である。
【００３５】
辞書指定キー１４ｂのユーザ操作に応じて、例えば［日本史辞書］が指定され、図５（Ａ）に示すように、任意の見出し語「あづちももやまじだい［安土桃山時代］」に対応した内容情報表示画面Ｇがメイン表示部１７に表示された状態で、タッチアイコンエリア１７Ｂの［単語マップ］アイコンＢＭがペンＰによりタッチ操作される（ステップＳ１（Ｙｅｓ））。
【００３６】
すると、図５（Ｂ）に示すように、前記［安土桃山時代］の内容情報に含まれるリンク有り文字列「織田信長」Ｌ１、「豊臣秀吉」Ｌ２、「安土城」Ｌ３、「伏見城」Ｌ４をリスト化したリンクリストＬＬがサブ表示部１６に表示される（ステップＳ２）。
【００３７】
この際、前記リンクリストＬＬが表示されたサブ表示部１６には、当該リンクリストＬＬのスクロールを指示するスクロールキーＫＳ、単語マップデータベース２２ｃへの登録を指示する［単語マップ登録］キーＫＭ、動作状態の戻りを指示する［戻る］キーＫＢが共に表示される。
【００３８】
図６は、前記電子辞書装置１０のリンクリスト表示処理に伴うリンクリストＬＬからの内容情報（Ｇ１）の表示動作を示す図である。
【００３９】
前記図５（Ｂ）で示したように、［日本史辞書］における見出し語［安土桃山時代］の内容情報表示画面Ｇがメイン表示部１７に表示され、そのリンクリストＬＬがサブ表示部１６に表示された状態で、図６（Ａ）に示すように、同リンクリストＬＬに表示された任意のリンク有り文字列（単語）「織田信長」Ｌ１がタッチされて選択され識別表示される（ステップＳ３（Ｙｅｓ））。
【００４０】
すると、この選択され識別表示されたリンク有り文字列「織田信長」Ｌ１を見出し語とする内容情報が前記指定の辞書［日本史辞書］から読み出され、図６（Ｂ）に示すように、見出し語「織田信長」の内容情報表示画面Ｇ１としてメイン表示部１７に表示される（ステップＳ４）。
【００４１】
ここで、前記サブ表示部１６に表示された［戻る］キーＫＢがタッチ操作されると（ステップＳ５（Ｙｅｓ））、前記図６（Ａ）で示したように、元の見出し語［安土桃山時代］の内容情報表示画面Ｇがメイン表示部１７に再表示される（ステップＳ６）。
【００４２】
そして、前記サブ表示部１６に表示されたリンクリストＬＬから別のリンク有り文字列（単語）Ｌｎがタッチされて選択されると（ステップＳ７（Ｙｅｓ））、この選択された別のリンク有り文字列Ｌｎを見出し語とする内容情報が前記指定の辞書［日本史辞書］から読み出され、内容情報表示画面Ｇｎとしてメイン表示部１７に表示される（ステップＳ４）。
【００４３】
これにより、辞書検索された任意の見出し語に対応する内容情報に含まれたリンク有り文字列Ｌ１，Ｌ２，…を、サブ表示部１６に表示させたリンクリストＬＬから一目瞭然に確認することができ、当該リンクリストＬＬから所望のリンク有り文字列（単語）Ｌｎを簡単に選択してその内容情報（Ｇ１）を迅速に表示させることができる。
【００４４】
この場合、リンクリストＬＬをサブ表示部１６に表示させたまま、当該リンクリストＬＬにて選択されたリンク有り文字列Ｌｎの内容情報表示画面Ｇｎをメイン表示部１７に表示させるので、同リンクリストＬＬ内の別のリンク有り文字列Ｌｍを選択してその内容情報（Ｇｍ）を切り替えて表示させる作業を非常に簡単に行うことができる。
【００４５】
なお、前記図６（Ａ）で示したように、サブ表示部１６に表示されたリンクリストＬＬ内の所望のリンク有り文字列Ｌｎ（「織田信長」Ｌ１）がタッチ選択された際に（ステップＳ３（Ｙｅｓ）ｏｒＳ７（Ｙｅｓ））、その選択されたリンク有り文字列Ｌ１を含んでいる見出し語［安土桃山時代］の内容情報表示画面Ｇはメイン表示部１７に表示させたまま、図６（Ｂ′）に示すように、同選択されたリンク有り文字列「織田信長」Ｌ１を見出し語とする説明情報表示画面Ｇ１をサブ表示部１６に表示させる構成としてもよい。
【００４６】
この場合、元の見出し語［安土桃山時代］の内容情報表示画面Ｇと、そこに含まれるリンク有り文字列Ｌｎを見出し語とする内容情報表示画面Ｇｎとを、メイン表示部１７とサブ表示部１６とで対比しながら見ることができる。
【００４７】
図７は、前記電子辞書装置１０の単語マップ登録処理に伴うリンクリストＬＬからの単語マップの登録表示動作を示す図である。
【００４８】
前記図５（Ｂ）または図６（Ａ）で示したように、［日本史辞書］における見出し語［安土桃山時代］の内容情報表示画面Ｇがメイン表示部１７に表示され、そのリンクリストＬＬがサブ表示部１６に表示された状態で、図７（Ａ）に示すように、サブ表示部１６に表示された［単語マップ登録］キーＫＭがタッチ操作されると（ステップＳ８）、図４における単語マップ登録処理に移行される（ステップＳＡ）。
【００４９】
この単語マップ登録処理に移行されると、先ず、単語マップデータベース２２ｃに記憶されている登録済みの単語マップが読み出され、例えば図７（Ｂ）に示すように、単語マップ表示画面Ｇｔｍとしてメイン表示部１７に表示される（ステップＡ１）。
【００５０】
この図７（Ｂ）で示す単語マップ表示画面Ｇｔｍの具体例では、見出し語「じだい［時代］」に対応付けた下の階層に当該見出し語［時代］の内容情報に含まれる３つのリンク有り文字列「へいあんじだい［平安時代］」「むろまちじだい［室町時代］」「せんごくじだい［戦国時代］」が登録された単語マップを示している。
【００５１】
この単語マップ表示画面Ｇｔｍにおいて、例えば図７（Ｂ）または（Ｃ）に示すように、当該表示画面Ｇｔｍに対するタッチ操作あるいはカーソルキー１４ｅの操作により反転カーソルＨの表示位置を何れかの単語の位置に適宜移動させ、今回単語マップ登録すべき階層の単語を選択して［訳／決定］キー１４ｃを操作する（ステップＡ２（Ｙｅｓ））。
【００５２】
すると、図７（Ｄ）または（Ｅ）に示すように、選択された単語の下の階層に、前記［単語マップ登録］キーＫＭがタッチ操作された時点でメイン表示部１７の内容情報表示画面Ｇに表示されていた見出し語「あづちももやまじだい［安土桃山時代」］が追加され、さらにその下の階層に当該見出し語の内容情報に含まれるリンク有り文字列「おだのぶなが［織田信長］」Ｌ１，「とよとみひでよし［豊臣秀吉］」Ｌ２，「あづちじょう［安土城］」Ｌ３，「ふしみじょう［伏見城］」Ｌ４が追加され登録される（ステップＡ３）。
【００５３】
これにより、任意の見出し語とその内容情報に含まれるリンク有り文字列とを、階層構造に対応付けた見易い単語マップとして単語マップデータベース２２ｃに登録できるだけでなく、既に登録された単語マップ上の任意の階層の単語に関係付けて登録することができる。
【００５４】
図８は、前記電子辞書装置１０の情報表示制御プログラム２２ａに従い実行される単語マップ閲覧・編集処理を示すフローチャートである。
【００５５】
図９は、前記電子辞書装置１０の単語マップ閲覧・編集処理に伴う単語マップの閲覧表示動作を示す図である。
【００５６】
辞書指定キー１４ｂに含まれる［学習帳］キーの操作に従いメイン表示部１７に表示されるメニュー画面（図示せず）から、［単語マップ閲覧］が選択されて単語マップ閲覧モードが起動されると、前記単語マップデータベース２２ｃに記憶されている単語マップが読み出され、例えば図９（Ａ）に示すように、単語マップ表示画面Ｇｔｍとしてメイン表示部１７に表示される（ステップＴ１）。
【００５７】
この図９（Ａ）で示す単語マップ表示画面Ｇｔｍの具体例では、［日本史辞書］の見出し語「あづちももやまじだい［安土桃山時代］」を上位の階層としその下の階層に当該見出し語［安土桃山時代］の内容情報（図７（Ａ）参照）に含まれる４つのリンク有り文字列「おだのぶなが［織田信長］」Ｌ１，「とよとみひでよし［豊臣秀吉］」Ｌ２，「あづちじょう［安土城］」Ｌ３，「ふしみじょう［伏見城］」Ｌ４が登録された単語マップを示している。
【００５８】
この単語マップ表示画面Ｇｔｍにおいて、図９（Ａ）または（Ｂ）に示すように、当該表示画面Ｇｔｍに対するタッチ操作あるいはカーソルキー１４ｅの操作により反転カーソルＨの表示位置を何れかの単語の位置に適宜移動させ［訳／決定］キー１４ｃを操作する（ステップＴ２（Ｙｅｓ））。
【００５９】
例えば図９（Ａ）で示したように、単語マップ表示画面Ｇｔｍに表示された単語マップにおける上位階層の単語「あづちももやまじだい［安土桃山時代］」が選択されて決定されると（ステップＴ２（Ｙｅｓ））、当該選択された単語［安土桃山時代］を見出し語とする内容情報が読み出され、図９（Ｃ）に示すような内容情報表示画面Ｇとしてメイン表示部１７に表示される（ステップＴ３）。
【００６０】
また、図９（Ｂ）で示したように、単語マップ表示画面Ｇｔｍに表示された単語マップにおける下位階層の単語「おだのぶなが［織田信長］」Ｌ１が選択されて決定されると（ステップＴ２（Ｙｅｓ））、当該選択された単語［織田信長］Ｌ１を見出し語とする内容情報が読み出され、図９（Ｄ）に示すような内容情報表示画面Ｇ１としてメイン表示部１７に表示される（ステップＴ３）。
【００６１】
なお、前記単語マップ表示画面Ｇｔｍはサブ表示部１６に表示させ、このサブ表示部１６上の単語マップにて選択された単語Ｌｎを見出し語する内容情報表示画面Ｇｎをメイン表示部１７に表示させる構成としてもよい。
【００６２】
これにより、任意の見出し語とその内容情報に含まれるリンク有り文字列とを階層構造にして対応付けた見易い単語マップの表示画面Ｇｔｍを簡単に表示できるだけでなく、この単語マップの表示画面Ｇｔｍから任意の単語を選択することで、容易にその選択された単語を見出し語とする内容情報を表示させて閲覧することができる。
【００６３】
図１０は、前記電子辞書装置１０の単語マップ閲覧・編集処理に伴う単語マップの編集表示動作を示す図である。
【００６４】
例えば図１０（Ａ）に示すように、単語マップ閲覧モードの起動に応じて、［日本史辞書］の見出し語「あづちももやまじだい［安土桃山時代］」を上位階層とし、その内容情報（図７（Ａ）参照）に含まれる４つのリンク有り文字列「おだのぶなが［織田信長］」Ｌ１〜「ふしみじょう［伏見城］」Ｌ４が下位階層に登録された単語マップが、単語マップデータベース２２ｃから読み出され単語マップ表示画面Ｇｔｍとしてメイン表示部１７に表示される（ステップＴ１）。
【００６５】
この状態で、前記メイン表示部１７のタッチアイコンエリア１７Ｂに表示された［リンクから追加］アイコンＢＰをタッチし（ステップＴ４（Ｙｅｓ））、図１０（Ｂ）または（Ｃ）に示すように、単語マップ表示画面Ｇｔｍに対するタッチ操作あるいはカーソルキー１４ｅの操作により反転カーソルＨの表示位置を何れかの単語の位置に適宜移動させ［訳／決定］キー１４ｃを操作する（ステップＴ５（Ｙｅｓ））。
【００６６】
例えば図１０（Ｂ）で示したように、単語マップ表示画面Ｇｔｍに表示された単語マップにおける［日本史辞書］の上位階層の単語「あづちももやまじだい［安土桃山時代］」が選択されて決定されると（ステップＴ５（Ｙｅｓ））、図１０（Ｄ）に示すように、当該選択された単語［安土桃山時代］の下の階層に同単語を見出し語とする同じ辞書［日本史辞書］内の内容情報に含まれたリンク有り文字列［織田信長］Ｌ１〜［伏見城］Ｌ４が抽出され追加されて登録される（ステップＴ６）。
【００６７】
この図１０（Ｄ）で示す具体例では、選択された［日本史辞書］の単語［安土桃山時代］の内容情報に含まれるリンク有り文字列［織田信長］Ｌ１〜［伏見城］Ｌ４は既にマップ登録されているので、さらに同一の単語［安土桃山時代］が選択されたと判断される（ステップＴ７（Ｙｅｓ））。
【００６８】
すると、前記選択された［日本史辞書］の単語［安土桃山時代］の下の階層に対して、当該単語［安土桃山時代］と一致する見出し語が他の辞書コンテンツ（ここでは［百科辞書］）から検索され、その内容情報に含まれるリンク有り文字列「ましたながもり［増田長盛］」Ｌａ，「まえだげんい［前田玄以］」Ｌｂが抽出されさらに追加されて登録される（ステップＴ８）。
【００６９】
また、図１０（Ｃ）で示したように、単語マップ表示画面Ｇｔｍに表示された単語マップにおける［日本史辞書］の下位階層の単語「おだのぶなが［織田信長］」Ｌ１が選択されて決定されると（ステップＴ５（Ｙｅｓ））、図１０（Ｅ）に示すように、当該選択された単語［織田信長］Ｌ１の下の階層に同単語［織田信長］Ｌ１を見出し語とする同じ辞書［日本史辞書］内の内容情報に含まれた６つのリンク有り文字列「おだのぶひで［織田信秀］」Ｌ１１〜「ほんのうじのへん［本能寺の変］」Ｌ１６が抽出され追加されて登録される（ステップＴ６）。
【００７０】
ここで、前記［訳／決定］キー１４ｃがもう一度操作されることで、表示中の単語マップにおける同一の単語（［日本史辞書］の「おだのぶなが［織田信長］」Ｌ１）が繰り返し選択されたと判断されると（ステップＴ７（Ｙｅｓ））、この選択された［日本史辞書］の単語［織田信長］Ｌ１の下の階層に対して、当該単語［織田信長］Ｌ１と一致する見出し語が他の辞書コンテンツ（ここでは［百科辞書］）から検索され、その内容情報に含まれるリンク有り文字列「あさくらよしかげ［朝倉義景］」Ｌ１ａ〜「ほんのうじのへん［本能寺の変］」Ｌ１ｃが抽出され、さらに追加されて登録される（ステップＴ８）。
【００７１】
これにより、単語マップデータベース２２ｃに既に登録された単語マップ上の所望の階層の所望の単語の下位層に対して、当該所望の単語を見出し語とする内容情報に含まれたリンク有り文字列を追加して登録することができ、同所望の単語に関係した重要な文字列を追加してユーザオリジナルの単語マップを生成できる。
【００７２】
この場合、リンク有り文字列を追加登録したい単語マップ上の任意の辞書の単語Ｌｎが１回目に選択決定されたときには、同じ辞書内の該当する単語Ｌｎを見出し語とする内容情報に含まれたリンク有り文字列Ｌｎ１，Ｌｎ２，…が抽出されて同単語Ｌｎの下位層に追加登録される。そして、同単語Ｌｎが２回目に選択決定されたときには、他の辞書内で一致検索された同単語Ｌｎを見出し語とする内容情報に含まれたリンク有り文字列Ｌｎａ，Ｌｎｂ，…が抽出されてさらに追加登録されるので、関連性の強い同一の辞書コンテンツから順に単語マップの階層構造を追加し、より目的にあったユーザオリジナルの単語マップを生成できる。
【００７３】
なお、前記実施形態における単語マップの階層構造は、辞書の見出し語とその内容情報に含まれるリンク有り文字列との関係を持って構成されるが、ユーザにより任意の関係を持たせた辞書内の各単語を任意の階層構造にして構成してもよい。
【００７４】
前記各実施形態において記載した電子辞書装置１０による各処理の手法およびデータベース、すなわち、図３のフローチャートに示すリンクリスト表示処理、図４のフローチャートに示す前記リンクリスト表示処理に伴い実行される単語マップ登録処理、図８のフローチャートに示す単語マップ閲覧・編集処理などの各手法、および辞書データベース２２ｂは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体２３に格納して配布することができる。そして、コンピュータは、この外部記録媒体２３に記憶されたプログラムを記憶装置（２２）に読み込み、この読み込んだプログラムによって動作が制御されることにより、前記各実施形態において説明した情報内リンク有り文字列のリスト化表示機能と同リストからの内容情報表示機能、リンク有り文字列をリンク元見出し語と階層構造にして対応付けた単語マップの登録・閲覧機能を実現し、前述した手法による同様の処理を実行することができる。
【００７５】
また、前記各手法を実現するためのプログラムのデータは、プログラムコードの形態としてネットワークＮ上を伝送させることができ、このプログラムデータを、ネットワークＮに接続されたコンピュータに通信部２５によって取り込むことで、前述した情報内リンク有り文字列のリスト化表示機能と同リストからの内容情報表示機能、リンク有り文字列をリンク元見出し語と階層構造にして対応付けた単語マップの登録・閲覧機能を実現することもできる。
【００７６】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００７７】
以下に、本願出願の当初の特許請求の範囲に記載された発明を付記する。
【００７８】
［１］
項目毎に該当する項目の内容情報が対応付けられると共に、他の項目にリンク付けされたリンク有り文字列を含む内容情報を有する文書情報を記憶する情報記憶手段と、
ユーザ操作に応じて前記情報記憶手段により記憶された任意の項目の内容情報を表示させる情報表示制御手段と、
この情報表示制御手段により表示される内容情報に含まれるリンク有り文字列をリスト化し、同内容情報とともに表示させるリンクリスト表示制御手段と、
このリンクリスト表示制御手段により表示されたリンク有り文字列をユーザ操作に応じて選択する選択手段と、
この選択手段により選択されたリンク有り文字列にリンク付けられて前記情報記憶手段により記憶される項目の内容情報を表示させるリンク内容表示制御手段と、
を備えたことを特徴とする情報表示装置。
【００７９】
［２］
前記情報表示制御手段は、ユーザ操作に応じて前記情報記憶手段により記憶された任意の項目の内容情報を主表示画面に表示させ、
前記リンクリスト表示制御手段は、前記情報表示制御手段により表示される内容情報に含まれるリンク有り文字列をリスト化し、副表示画面に表示させ、
前記選択手段により選択された前記副表示画面上のリンク有り文字列を識別表示させる識別表示制御手段を備え、
前記リンク内容表示制御手段は、前記識別表示制御手段により前記副表示画面上で識別表示されたリンク有り文字列にリンク付けられて前記情報記憶手段により記憶される項目の内容情報を前記主表示画面に表示させる、
ことを特徴とする［１］に記載の情報表示装置。
【００８０】
［３］
前記情報表示制御手段は、ユーザ操作に応じて前記情報記憶手段により記憶された任意の項目の内容情報を主表示画面に表示させ、
前記リンクリスト表示制御手段は、前記情報表示制御手段により表示される内容情報に含まれるリンク有り文字列をリスト化し、副表示画面に表示させ、
前記リンク内容表示制御手段は、前記選択手段により選択されたリンク有り文字列にリンク付けられて前記情報記憶手段により記憶される項目の内容情報を前記副表示画面に表示させる、
ことを特徴とする［１］に記載の情報表示装置。
【００８１】
［４］
前記情報表示制御手段により表示された内容情報に対応する項目を上の階層の項目、前記リンクリスト表示制御手段により表示されたリンク有り文字列を下の階層の項目とする階層構造の項目マップを記憶する項目マップ記憶手段と、
この項目マップ記憶手段により記憶された階層構造の項目マップを前記表示画面に表示させる項目マップ表示制御手段と、
この項目マップ表示制御手段により表示された階層構造の項目マップの任意の項目をユーザ操作に応じて選択する項目選択手段と、
この項目選択手段により選択された項目に対応付けられて前記情報記憶手段により記憶される内容情報を前記表示画面に表示させる項目内容表示制御手段と、
を備えたことを特徴とする［１］ないし［３］の何れかに記載の情報表示装置。
【００８２】
［５］
ユーザ操作に応じて前記項目マップの追加を指示する追加指示手段と、
この追加指示手段により項目マップの追加が指示されると、前記項目選択手段により選択された項目に対応付けられて前記情報記憶手段により記憶される内容情報に含まれるリンク有り文字列を抽出し、当該選択された項目の下の階層の項目として追加して記憶する項目マップ追加手段と、
を備えたことを特徴とする［４］に記載の情報表示装置。
【００８３】
［６］
前記情報記憶手段は、複数種類の文書情報を記憶し、
前記項目マップ追加手段は、前記追加指示手段により項目マップの追加が指示された後に、前記項目選択手段により選択された項目に対応付けられて前記情報記憶手段により記憶される前記選択された項目と同一の文書情報内の同項目の内容情報に含まれるリンク有り文字列と、前記選択された項目と一致する別の文書情報内の項目の内容情報に含まれるリンク有り文字列とを段階的に抽出し、当該選択された項目の下の階層の項目として追加して記憶する、
ことを特徴とする［５］に記載の情報表示装置。
【００８４】
［７］
コンピュータを制御するためのプログラムであって、
前記コンピュータを、
項目毎に該当する項目の内容情報が対応付けられると共に、他の項目にリンク付けされたリンク有り文字列を含む内容情報を有する文書情報をメモリに記憶させる情報記憶手段、
ユーザ操作に応じて前記情報記憶手段により記憶された任意の項目の内容情報を表示させる情報表示制御手段、
この情報表示制御手段により表示される内容情報に含まれるリンク有り文字列をリスト化し、同内容情報とともに表示させるリンクリスト表示制御手段、
このリンクリスト表示制御手段により表示されたリンク有り文字列をユーザ操作に応じて選択する選択手段、
この選択手段により選択されたリンク有り文字列にリンク付けられて前記情報記憶手段により記憶される項目の内容情報を表示させるリンク内容表示制御手段、
として機能させるためのプログラム。
【符号の説明】
【００８５】
１０  …電子辞書装置
１１  …本体ケース
１２  …蓋体ケース
１３  …ヒンジ部
１４  …キー入力部（キーボード）
１４ａ…文字入力キー
１４ｂ…辞書指定キー
１４ｃ…［訳／決定］キー
１４ｄ…［戻る／リスト］キー
１４ｅ…カーソルキー
１５  …スピーカ
１６  …サブ表示部
１６ｄ…カラー液晶表示部
１６ｔ…透明タッチパネル
１７  …メイン表示部
１７ｄ…カラー液晶表示部
１７ｔ…透明タッチパネル
１７Ａ…タッチキーエリア
ＫＥ  …［訳／決定］キー
ＫＲ  …［戻る／リスト］キー
１７Ｂ…タッチアイコンエリア
ＢＭ  …［単語マップ］アイコン
ＢＰ  …［リンクから追加］アイコン
２１  …ＣＰＵ
２２  …記憶部
２２ａ…各種情報表示制御プログラム
２２ｂ…辞書データベース
２２ｃ…単語マップデータベース
２３  …外部記録媒体
２４  …記録媒体読み取り部
２５  …通信部
Ｇ、Ｇ１…内容情報表示画面
Ｇｔｍ…単語マップ表示画面
Ｌｎ  …リンク有り文字列（単語）
ＬＬ  …リンクリスト
ＫＭ  …［単語マップ登録］キー
ＫＢ  …［戻る］キー
ＫＳ  …スクロールキー
Ｈ    …反転カーソル
【図１】
0005760564.tif 000002
【図２】
0005760564.tif 000003
【図３】
0005760564.tif 000004
【図４】
0005760564.tif 000005
【図５】
0005760564.tif 000006
【図６】
0005760564.tif 000007
【図７】
0005760564.tif 000008
【図８】
0005760564.tif 000009
【図９】
0005760564.tif 000010
【図１０】
0005760564.tif 000011